(57)【要約】【課題】タイムスロット単位で各無線通信装置へのチャネル割り当てを行い、ブロードキャストパケットを除くパケットの送信先がタイムスロット単位で特定されるアドホックネットワークの無線通信装置において、安定した通信の確保と消費電力の低減をより効率的に行う。【解決手段】タイムスロット毎の処理タイプと送信電力制御情報を含むスケジュール情報を格納し、処理タイプが送信処理のタイムスロットになった場合に格納した送信電力制御情報を読み出し、送信電力制御を行うＭＡＣ部１１と、格納する送信電力制御情報として、ブロードキャストパケットに対して送信電力となる情報、その他のパケットに対して特定される送信先の無線通信装置との通信状況に応じた送信電力となる情報を設定するＰＨＹ部１２とを有する。【選択図】図３
2014017706.tif 000002
【特許請求の範囲】
【請求項１】
タイムスロット単位で各無線通信装置へのチャネル割り当てを行い、ブロードキャストパケットを除くパケットの送信先がタイムスロット単位で特定されるアドホックネットワークの無線通信装置であって、
タイムスロット毎の処理タイプと送信電力制御情報を含むスケジュール情報を格納し、前記処理タイプが送信処理のタイムスロットになった場合に前記格納した送信電力制御情報を読み出し、送信電力制御を行うスケジュール管理手段と、
前記格納する送信電力制御情報として、前記ブロードキャストパケットに対して送信電力となる情報、その他のパケットに対して特定される送信先の無線通信装置との通信状況に応じた送信電力となる情報を設定する送信電力制御情報設定手段と、
を有することを特徴とする無線通信装置。
【請求項２】
前記送信電力制御情報設定手段は、前記通信状況に応じた送信電力となる情報を、ブロードキャストパケットを通して行うタイムスロットのチャネル予約手続きに伴い算出することを特徴とする請求項１記載の無線通信装置。
【請求項３】
前記送信電力制御情報設定手段は、前記ブロードキャストパケットを通して行う前記タイムスロットのチャネル予約手続きにおいて、チャネル予約情報のパケット送信の宛先として自身が指定された前記ブロードキャストパケットを受信すると、通信状況を示す受信信号品質情報を算出し、自身が送信する前記ブロードキャストパケットにその情報を含めて送信することを特徴とする請求項２記載の無線通信装置。
【請求項４】
前記送信電力制御情報設定手段は、前記スケジュール情報の設定に際して前記送信電力制御情報の設定を行い、ブロードキャストパケット以外のパケットを送信する前記スケジュール情報の設定の場合は、前記ブロードキャストパケットを通して行う前記タイムスロットのチャネル予約手続きにおいて、チャネル予約情報のパケット送信の宛先として指定した無線通信装置から送信されたブロードキャストパケットを受信すると、その中の受信信号品質情報をもとに通信状況に応じた送信電力となる情報を算出し、送信電力制御情報として設定することを特徴とする請求項２記載の無線通信装置。
【請求項５】
前記送信電力制御情報設定手段は、前記送信電力となる情報として、最大送信電力を用いることを特徴とする請求項１から４のいずれか１項に記載の無線通信装置。
【請求項６】
タイムスロット単位で各無線通信装置へのチャネル割り当てを行い、ブロードキャストパケットを除くパケットの送信先がタイムスロット単位で特定されるアドホックネットワークの無線通信装置におけるプログラムであって、
タイムスロット毎の処理タイプと送信電力制御情報を含むスケジュール情報を格納し、処理タイプが送信処理のタイムスロットになった場合に格納した送信電力制御情報を読み出し、送信電力制御を行うスケジュールを管理する処理と、
格納する送信電力制御情報として、ブロードキャストパケットに対して送信電力となる情報、その他のパケットに対して特定される送信先の無線通信装置との通信状況に応じた送信電力となる情報を設定する送信電力制御情報を設定する処理と、
をコンピュータに実行させることを特徴とするプログラム。
【請求項７】
タイムスロット単位で各無線通信装置へのチャネル割り当てを行い、ブロードキャストパケットを除くパケットの送信先がタイムスロット単位で特定されるアドホックネットワークの無線通信装置における通信制御方法であって、
タイムスロット毎の処理タイプと送信電力制御情報を含むスケジュール情報を格納し、処理タイプが送信処理のタイムスロットになった場合に格納した送信電力制御情報を読み出し、送信電力制御を行うスケジュールを管理するステップと、
格納する送信電力制御情報として、ブロードキャストパケットに対して送信電力となる情報、その他のパケットに対して特定される送信先の無線通信装置との通信状況に応じた送信電力となる情報を設定する送信電力制御情報を設定するステップと、
を有することを特徴とする無線通信装置における通信制御方法。
【発明の詳細な説明】
【技術分野】
【０００１】
本発明は、送信電力制御を行う無線通信装置およびプログラム、通信制御方法に関する。
【背景技術】
【０００２】
基地局を介さずにネットワークを形成するアドホックネットワークの無線通信システムでは、無線通信装置同士が直接パケットのやり取りを行う。このようなプロトコルを用いる無線通信システムとして、無線ＬＡＮのアドホックモードやＭＢ−ＯＦＤＭ方式のＵＷＢ（Ultra Wide Band）通信がある。中でもＵＷＢ通信は、パケットやり取りの基本的なタイミング構造としてスーパーフレームを用い、スーパーフレームはさらにタイムスロット単位に分割される。
【０００３】
そして、各スーパーフレームはタイムスロットを更に分割したビーコンスロットが複数連続したビーコン期間から始まり、各無線通信装置はこの期間中の異なるビーコンスロットの１つを各々用いてブロードキャストのビーコンパケットを送信する。これにより、各無線通信装置がネットワークに関する情報を共有し、ネットワークとの同期・管理を行う。
【０００４】
また、各無線通信装置では、スーパーフレーム内のビーコン期間以外の期間を各無線通信装置間でパケットを送受信するためのデータ期間として利用している。そして、その際のアクセス制御方式として、タイムスロット単位で各無線通信装置がチャネル予約を行う分散予約プロトコルに対応している。この分散予約プロトコルでの無線通信では、タイムスロットの予約時にパケット送信の宛先となる無線通信装置を指定する。よって、ビーコンパケットを除くパケットの送信先がタイムスロット単位で特定される。
【０００５】
ところで、無線通信装置では、安定した通信の確保と消費電力の低減が必要とされる。そこで、通信距離やノイズや障害物の有無などに起因する通信相手との通信状況に応じて送信電力を制御する技術が考案され、複数の無線通信装置から構成される無線通信システムにおいても利用されていることが既に知られている。
【０００６】
また、特許文献１には、アドホックネットワークにおいて、無線通信装置の消費電力低減のために送信電力制御を行いつつも、送信電力不足によるパケットの消失を回避しネットワーク全体の通信品質を正常に保つ目的で、各無線通信装置がパケットの宛先と送信するパケットに応じて、送信電力制御を行って送信、あるいは送信電力を最大にして送信を行うという構成が開示されている。
【発明の概要】
【発明が解決しようとする課題】
【０００７】
しかし、今までの無線通信システムにおける送信電力制御は、広範囲に渡るエリアで基地局を介した通信を基本とした制御であり、アドホックネットワークの無線通信システムでは基地局が存在しないため、複数の無線通信装置の送信電力制御を集中的に管理することができないという問題があった。
【０００８】
また、特許文献１に開示されている技術は、タイムスロット単位で各無線通信装置へのチャネル割り当てを行い、ブロードキャストパケットを除くパケットの送信先がタイムスロット単位で特定されるアドホックネットワークの無線通信システムに対しても、安定した通信の確保と消費電力の低減の実現が難しいという問題があった。
【０００９】
本発明は、前記課題を解決するためのものであり、その目的とするところは、タイムスロット単位で各無線通信装置へのチャネル割り当てを行い、ブロードキャストパケットを除くパケットの送信先がタイムスロット単位で特定されるアドホックネットワークの無線通信装置において、安定した通信の確保と消費電力の低減をより効率的に行うことにある。
【課題を解決するための手段】
【００１０】
かかる目的を達成するために、本発明は、以下の特徴を有する。
【００１１】
本発明に係る無線通信装置は、タイムスロット単位で各無線通信装置へのチャネル割り当てを行い、ブロードキャストパケットを除くパケットの送信先がタイムスロット単位で特定されるアドホックネットワークの無線通信装置であって、タイムスロット毎の処理タイプと送信電力制御情報を含むスケジュール情報を格納し、前記処理タイプが送信処理のタイムスロットになった場合に前記格納した送信電力制御情報を読み出し、送信電力制御を行うスケジュール管理手段と、前記格納する送信電力制御情報として、前記ブロードキャストパケットに対して送信電力となる情報、その他のパケットに対して特定される送信先の無線通信装置との通信状況に応じた送信電力となる情報を設定する送信電力制御情報設定手段と、を有することを特徴とする。
【発明の効果】
【００１２】
本発明によれば、タイムスロット単位で各無線通信装置へのチャネル割り当てを行い、ブロードキャストパケットを除くパケットの送信先がタイムスロット単位で特定されるアドホックネットワークの無線通信装置において、安定した通信の確保と消費電力の低減をより効率的に行うことができる。
【図面の簡単な説明】
【００１３】
【図１】本実施形態に係る無線通信システムの構成を示す図である。
【図２】本実施形態に係るスーパーフレームの構成を示す図である。
【図３】本実施形態に係る無線通信装置の構成を示すブロック図である。
【図４】本実施形態に係るＭＡＣ部で扱うパケットのフォーマットを示す図である。
【図５】本実施形態に係る無線通信システムでのスーパーフレームを示す図である。
【図６】図５のスーパーフレームの場合における無線通信システムの通信の様子を示す図である。
【図７】図５のスーパーフレームの場合のスケジュール情報を示す図である。
【図８】パケット送信を行うタイムスロットでの送信処理フロー図である。
【図９】スケジュール情報の設定における送信電力制御情報の設定処理フロー図である。
【図１０】タイムスロットのチャネル予約手続きを利用した送信電力制御情報算出のシーケンス図である。
【発明を実施するための形態】
【００１４】
以下、本実施形態について図面により詳細に説明する。
【００１５】
図１は、本実施形態に係る無線通信システムの構成を示す図である。図２は、本実施形態に係るスーパーフレームの構成を示す図である。
【００１６】
無線通信システムは、３つ以上の無線通信装置１，２，３をその構成要素として含み、通信制御の集中管理機構となる基地局を介さず無線通信装置同士で直接通信を行い、アドホックネットワークを形成する。そのため、各無線通信装置がネットワークに対する通信制御を行う。
【００１７】
この通信制御は、図２に示すように、スーパーフレームを分割したタイムスロット単位で行う。各スーパーフレームは１つ以上の連続したタイムスロットからなるビーコン期間から始まり、各無線通信装置はこの期間中の異なるタイムスロットの１つを各々用いてブロードキャストのビーコンパケットを送受信する。これにより、各無線通信装置がネットワークに関する情報を共有し、ネットワークとの同期・管理を行う。
【００１８】
また、各無線通信装置では、スーパーフレーム内のビーコン期間以外の期間を各無線通信装置間でパケットを送受信するためのデータ期間として利用する。そして、その際のアクセス制御方式として、タイムスロット単位で各無線通信装置がチャネル予約を行う分散予約プロトコルを用いる。この分散予約プロトコルでの無線通信では、タイムスロットの予約時にパケット送信の宛先となる無線通信装置を指定する。よって、ビーコンパケットを除くパケットの送信先がタイムスロット単位で特定される。
【００１９】
ここで、タイムスロットのチャネル予約についてさらに述べると、この予約手続きはビーコンパケットを通して行う。予約するタイムスロットにおいてパケット送信を行いたい無線通信装置が、パケット送信の宛先となる無線通信装置に対する予約リクエストを行う予約情報を含むビーコンパケットを送信すると、それを受信した無線通信装置のうちパケット送信の宛先となっていた無線通信装置は、予約に対する結果情報などにより予約レスポンスを行う予約情報を含むビーコンパケットを送信する。
【００２０】
そして、予約リクエストを行う予約情報を含むビーコンパケットを送信していた無線通信装置がこの予約レスポンスを行う予約情報を含むビーコンパケットを受信することで、タイムスロットのチャネル予約が確立する。
【００２１】
図３は、本実施形態に係る無線通信装置の構成を示すブロック図である。無線通信装置１は、ＭＡＣ部１１とＰＨＹ部１２とアンテナ１３とを含んで構成される。
【００２２】
ＭＡＣ部１１は、ＰＨＹ部１２を制御して上述したような通信制御つまりパケット送受信の制御を行う。そのため、タイムスロット毎のスケジュール管理をタイマーとビーコンパケットの情報を通して決めるスケジュール情報をもとに行う。
【００２３】
各タイムスロットのスケジュール情報は、処理タイプと送信電力制御情報とから構成される。処理タイプは、パケットのタイプ（ビーコンパケットかその他のデータパケットか）および処理内容（送信処理か受信処理か）の組み合わせを表す。送信電力制御情報は、ＰＨＹ部１２から出力するパケットの送信電力を制御するための情報であり、送信電力を指定する。
【００２４】
ブロードキャストパケットに対しては、最大の送信電力となる情報、その他のパケットに対しては、送信先の無線通信装置との通信状況に応じた送信電力となる情報が設定されるものとする。無線通信装置として可能な限り、ブロードキャストパケットを他の無線通信装置に届けるようにすることができる。
【００２５】
その際、ビーコンパケットを介したタイムスロットのチャネル予約手続きを利用して、送信先の無線通信装置との通信状況を表す受信信号品質情報をＰＨＹ部１２を介して算出し、それを用いて送信電力制御情報の算出をさらに行い、送信電力制御情報に設定する。チャネル予約手続きのためのブロードキャストパケットのやり取りを利用することで効率の良い送信電力制御を行うことができる。ここで、受信信号品質情報としては、受信信号強度やＳＮ比などが考えられる。
【００２６】
また、受信信号品質情報を用いた送信電力制御情報の算出は、最大送信電力で送ったパケットに対する受信信号品質情報をもとに、送信電力を低減させるレベルを求め、そのレベルに応じた送信電力となる情報とすることなどが考えられる。
【００２７】
なお、スケジュール情報の詳細およびパケット送信を行うタイムスロットでの送信電力制御情報を用いた送信処理フローおよび送信電力制御情報の設定処理フローおよびタイムスロットのチャネル予約手続きを利用した送信電力制御情報の算出シーケンスについては後述する。
【００２８】
ＰＨＹ部１２は、ＭＡＣ部１１からの指示に従い、パケット送信時にはＭＡＣ部１１から送られてきたパケットをもとに変調を行い、そしてデジタル信号からアナログ信号に変換し、さらに周波数のアップコンバートを行った信号をアンテナ部１３に送る。この時、送信する電波の強度は、ＭＡＣ部１１からの指定に基づき制御される。パケット受信時には、アンテナ１３から受信したアナログ信号の周波数のダウンコンバートを行い、その後アナログ信号からデジタル信号に変換し、さらに復調し、そのパケットをＭＡＣ部１１に渡す。
【００２９】
図４は、本実施形態に係るＭＡＣ部で扱うパケットのフォーマットを示す図であり、（ａ）はパケットのフォーマット、（ｂ）はパケットがビーコンパケットの場合の特別な情報を含むフォーマットである。
【００３０】
パケットは、そのパケットを送信する無線通信装置を識別する送信元無線通信装置識別情報、および、そのパケットの送信先となる無線通信装置を識別する送信先無線通信装置識別情報、および、あるタイムスロットにおいてそのパケットが最終パケットであるかどうかを示す最終パケット情報を含むものとする。但し、ビーコンパケットの場合、送信先無線通信装置識別情報は、無線通信装置を特定しない情報とする。
【００３１】
そして、ビーコンパケットはさらに特別な情報を含み、タイムスロットのチャネル予約を行う場合、あるいは、確立した場合、そのタイムスロットでデータパケットのやり取りを行う無線通信装置は、ビーコンパケットに予約情報を含むものとする。予約情報としては、タイムスロット情報、および、予約リクエスト／レスポンス情報、および、パケット送信先／送信元情報を含み、さらに、予約リクエスト／レスポンス情報が予約レスポンスである場合は、予約状況情報、および、受信信号品質情報を含むものとする。
【００３２】
ここで、タイムスロット情報は、予約を行うタイムスロットを識別する情報で、例えばタイムスロット番号とする。
【００３３】
予約リクエスト／レスポンス情報は、その予約情報が予約リクエストを行う場合は予約リクエスト、あるいは、予約リクエストに対する予約レスポンスを行う場合は予約レスポンスとする。
【００３４】
パケット送信先／送信元情報は、予約リクエスト／レスポンス情報が予約リクエストの場合は、パケット送信先無線通信装置の識別情報、予約レスポンスの場合は、パケット送信元無線通信装置の識別情報とする。よって、タイムスロット情報で示すタイムスロットのチャネル予約を行いそのタイムスロットでパケットの送信を行う無線通信装置は、予約リクエスト／レスポンス情報として予約リクエスト、パケット送信先／送信元情報としてパケットの送信先となる無線通信装置の識別情報からなる予約情報を含むビーコンパケットを送信する。予約状況情報は、予約リクエストに対する結果を示す情報とする。
【００３５】
受信信号品質情報は、予約リクエストを行ったビーコンパケットに対してＭＡＣ部１１が算出する受信信号品質情報とする。そのため、予約状況情報と受信信号品質情報は、予約レスポンスの予約情報の場合のみ予約情報として含まれる。
【００３６】
よって、自身が予約リクエストのパケット送信先情報として指定されたビーコンパケットを受信した無線通信装置は、予約リクエスト／レスポンス情報として予約レスポンス、パケット送信先／送信元情報として予約リクエストを送信した無線通信装置の識別情報、予約状況情報として予約成立を示す情報、受信信号品質情報として上記の受信したビーコンパケットに対する受信信号品質情報として算出した情報からなる予約情報を含むビーコンパケットを送信する。
【００３７】
本実施形態によれば、タイムスロット単位で各無線通信装置へのチャネル割り当てを行い、ブロードキャストパケットを除くパケットの送信先がタイムスロット単位で特定されるアドホックネットワークを形成する各無線通信装置は、タイムスロット毎に送信電力の制御情報を格納し、その格納した送信電力制御情報に基づいてタイムスロット毎の送信電力の制御を行う。送信電力制御情報は、ビーコンパケットなどブロードキャスト用パケットの送信を行うタイムスロットに対して、送信電力となる情報、その他のパケットの送信を行うタイムスロットに対して、通信相手との通信状況に応じた送信電力となる情報とする。
【００３８】
よって、送信電力の下げすぎにより、ビーコンパケットなどブロードキャスト用パケットが新規にネットワークに参加する無線通信装置に届かないという状況を防ぎ、かつ、その他のパケットに対し過剰に大きい送信電力での送信を行わないことにより消費電力の低減が可能である。
【００３９】
そしてさらには、同じタイムスロット内で複数パケットを送信する際には、そのタイムスロット内で送信電力制御処理を1度のみ行えばよく、処理を簡略化できるので、タイムスロット単位で各無線通信装置へのチャネル割り当てを行い、ブロードキャストパケットを除くパケットの送信先がタイムスロット単位で特定されるアドホックネットワークの無線通信装置において、安定した通信の確保と消費電力の低減をより効率的に行うことができる。
【００４０】
以下では、より具体的な例として、図１の無線通信システムにおいて図５に示すスーパーフレームでのチャネル割り当てが行われた状況を想定して説明を行う。
【００４１】
図５は、本実施形態に係る無線通信システムでのスーパーフレームを示す図である。図６は、図５のスーパーフレームの場合における無線通信システムの通信の様子を示す図であり、（ａ）はタイムスロット１、（ｂ）はタイムスロット２、（ｃ）はタイムスロット５とタイムスロット６、（ｄ）はタイムスロット７である。
【００４２】
図５の場合、無線通信装置１がタイムスロット１を、無線通信装置２がタイムスロット２を、無線通信装置３がタイムスロット３を用いてビーコンパケットの送信を無線通信システム全体の無線通信装置に対して行う。そして、それらのビーコンパケットを通してタイムスロットのチャネル予約を行った結果、タイムスロット５とタイムスロット６を用いて無線通信装置１が無線通信装置２にデータパケットの送信を行い、タイムスロット７を用いて無線通信装置１が無線通信装置３にデータパケットの送信を行い、タイムスロット９を用いて無線通信装置２が無線通信装置３にデータパケットの送信を行う。
【００４３】
図６に図５のスーパーフレームのうち、タイムスロット１、タイムスロット２、タイムスロット５とタイムスロット６、タイムスロット７の場合の無線通信システムでの通信の様子を示す。各タイムスロットでの送信電力制御情報については次にスケジュール情報とともに説明する。
【００４４】
図７は、図５のスーパーフレームの場合のスケジュール情報を示す図であり、（ａ）は無線通信装置１におけるスケジュール情報、（ｂ）は無線通信装置２におけるスケジュール情報である。
【００４５】
図５の場合、無線通信装置１のＭＡＣ部１１におけるスケジュール情報として、タイムスロット１に対して、処理タイプはビーコンパケットの送信処理、送信電力制御情報の設定により送信電力制御情報は最大の送信電力を示す情報ＰDev1Highが格納される。また、同様に、タイムスロット２およびタイムスロット３に対して、処理タイプはビーコンパケットの受信処理、送信電力制御情報は受信処理であるため初期値０がそのまま格納される。
【００４６】
そして、タイムスロット５およびタイムスロット６に対して、処理タイプはデータパケットの送信処理、送信電力制御情報は無線通信装置１と無線通信装置２での通信状況に応じた送信電力を示す情報ＰDev１→Dev2が格納される。
【００４７】
また、タイムスロット７に対して、処理タイプはデータパケットの送信処理、送信電力制御情報は無線通信装置１と無線通信装置３での通信状況に応じた送信電力を示す情報ＰDev1→Dev3が格納される。
【００４８】
一方、無線通信装置２におけるスケジュール情報としては、タイムスロット１およびタイムスロット３に対して、処理タイプはビーコンパケットの受信処理、送信電力制御情報は受信処理であるため、初期値０がそのまま格納される。また、タイムスロット２に対して、処理タイプはビーコンパケットの送信処理、送信電力制御情報は最大の送信電力を示す情報ＰDev2Highが格納される。
【００４９】
そして、タイムスロット５およびタイムスロット６に対して、処理タイプはデータパケットの受信処理、送信電力制御情報は初期値０がそのまま格納される。また、タイムスロット９に対して、処理タイプはデータパケットの送信処理、送信電力制御情報は無線通信装置２と無線通信装置３での通信状況に応じた送信電力を示す情報ＰDev2→Dev3が格納される。
【００５０】
次に、ＭＡＣ部１１において、タイマーが新たなタイムスロットになり、スケジュール情報を参照し、処理タイプが送信処理であった場合に、格納された送信電力制御情報を用いてそのタイムスロットで行う送信処理フローについて説明する。
【００５１】
図８は、パケット送信を行うタイムスロットでの送信処理フロー図である。無線通信装置１は、対応するタイムスロットの送信電力制御情報を、ＭＡＣ部１１のスケジュール情報から読み出す（ステップＳ１）。
【００５２】
ＭＡＣ部１１は読み出した送信電力制御情報をもとにＰＨＹ部１２の送信電力を設定する（ステップＳ２）。ここで、例えば、図５のタイムスロット１の場合、無線通信装置１では送信電力制御情報として図７（ａ）に示したＰDev1Highが読み出される。また、タイムスロット５およびタイムスロット６の場合ＰDev１→Dev2が読み出される。ＰＨＹ部１２が設定された送信電力でアンテナ１３を介してパケット送信を行う（ステップＳ３）。
【００５３】
ＭＡＣ部１１がパケット中の最終パケット情報をもとにそのタイムスロットで更にパケット送信があると判断した場合（ステップＳ４、Ｙｅｓ）、その送信電力のままＰＨＹ部１２およびアンテナ１３を介してパケット送信を行い（ステップＳ３）、最後のパケット送信になるまでこの処理を繰り返す。そして、最後のパケット送信が終わった場合（ステップＳ４、Ｎｏ）、送信処理を終了する。
【００５４】
図９は、スケジュール情報の設定における送信電力制御情報の設定処理フロー図である。無線通信装置１のＭＡＣ部１１のスケジュール情報に格納される送信電力制御情報の設定処理フローを説明する。送信電力制御情報の設定は、ＭＡＣ部１１によるスケジュール情報の設定に際して行われる。
【００５５】
設定するスケジュール情報のうち、処理タイプが送信処理でなかった場合（ステップＳ１１、Ｎｏ）、送信電力制御情報の設定を行わず終了する。
【００５６】
処理タイプが送信処理であった場合（ステップＳ１１、Ｙｅｓ）、次に処理タイプのパケットタイプがビーコンパケットであるかを判定する（ステップＳ１２）。パケットタイプがビーコンパケットである場合（ステップＳ１２、Ｙｅｓ）、送信電力を示す送信電力制御情報を設定し（ステップＳ１３）、終了する。
【００５７】
パケットタイプがビーコンパケットでない場合（ステップＳ１２、Ｎｏ）、通信相手との通信状況に応じた送信電力となるように、ビーコンパケットを介したタイムスロットのチャネル予約手続きにおいて算出した送信電力制御情報を設定し（ステップＳ１４）、終了する。
【００５８】
本実施形態によれば、リクエストしたチャネル予約のパケット送信の宛先である無線通信装置との通信状況を受信信号品質情報により把握することで、精度の高い送信電力を制御できる。
【００５９】
図１０は、タイムスロットのチャネル予約手続きを利用した送信電力制御情報算出のシーケンス図である。
【００６０】
無線通信装置１が無線通信装置２とのパケット通信を行うために、タイムスロットのチャネル予約手続きを行い、その際、無線通信装置１が無線通信装置２との通信状況に応じた送信電力制御情報の算出を行う場合を例として説明する。
【００６１】
あるスーパーフレームαのタイムスロット１において、無線通信装置１が、タイムスロット情報として予約したいタイムスロット情報、予約リクエスト／レスポンス情報として予約リクエスト、パケット送信先／送信元情報として無線通信装置２に対する識別情報からなる予約情報を含むビーコンパケットをブロードキャストで送信する（ステップＳ２１）。
【００６２】
無線通信装置２は、受信したビーコンパケットの予約情報を解析し、自身が予約リクエストの対象となっていることにより、このビーコンパケットに対する受信信号品質情報の算出を行う（ステップＳ２２）。
【００６３】
スーパーフレームαのタイムスロット２において、無線通信装置２がビーコンパケットをブロードキャストで送信する（ステップＳ２３）。スーパーフレームαのタイムスロット３において、無線通信装置３がビーコンパケットをブロードキャストで送信する（ステップＳ２４）。次のスーパーフレームα＋１のタイムスロット１において、無線通信装置１がビーコンパケットをブロードキャストで送信する（ステップＳ２５）。
【００６４】
スーパーフレームα＋１のタイムスロット２において、無線通信装置２が、タイムスロット情報として予約されたタイムスロット情報、予約リクエスト／レスポンス情報として予約レスポンス、パケット送信先／送信元情報として無線通信装置１に対する識別情報、予約状況情報として予約成立、受信信号品質情報としてステップＳ２２で算出した受信信号品質情報からなる予約情報を含むビーコンパケットをブロードキャストで送信する（ステップＳ２６）。
【００６５】
無線通信装置１は、受信したビーコンパケットの予約情報を解析し、自身が予約レスポンスの対象となっていると判明すると、予約情報から受信信号品質情報を抽出し、それをもとに送信電力制御情報の算出を行う（ステップＳ２７）。スーパーフレームα＋１のタイムスロット８において、無線通信装置３がビーコンパケットをブロードキャストで送信する（ステップＳ２８）。
【００６６】
本実施形態によれば、チャネル予約をリクエストした無線通信装置との通信状況を知らせることができる。
【符号の説明】
【００６７】
１，２，３    無線通信装置
１１    ＭＡＣ部
１２    ＰＨＹ部
１３    アンテナ
【先行技術文献】
【特許文献】
【００６８】
【特許文献１】特許４７００９８２号公報
【図１】
2014017706.tif 000003
【図２】
2014017706.tif 000004
【図３】
2014017706.tif 000005
【図４】
2014017706.tif 000006
【図５】
2014017706.tif 000007
【図６】
2014017706.tif 000008
【図７】
2014017706.tif 000009
【図８】
2014017706.tif 000010
【図９】
2014017706.tif 000011
【図１０】
2014017706.tif 000012